(57)【要約】【課題】  標準サッシ枠をそのまま用いて、コストアップを招くことなく、ＰＣ建築物に乾式工法で取り付けることができるサッシ枠を提供する。【解決手段】  標準サッシ枠とアタッチメント枠と取付金具とからなる。標準サッシ枠は、上、下枠及び縦枠に木造建築物に取付けるための取付縁と、上、下枠及び縦枠の外周面側に屋内外方向に対向して突出する、湿式工法に用いるアンカーを係止する係止縁とを有する。アタッチメント枠は、標準サッシ枠の外周側において、上、下枠の屋外側端部と屋内側端部に固着される横アタッチメント材と、縦枠の屋外側端部と屋内側端部に固着される縦アタッチメント材とを矩形に連続されてなる。取付金具は、横断面Ｌ字形に形成され、水平部においてプレキャストコンクリート壁の開口部内周面に固定され、垂直部において横アタッチメント材の屋内側端部に連結される。【選択図】  図１
2010144405.tif 000002
【特許請求の範囲】
【請求項１】
標準サッシ枠と、アタッチメント枠と、複数個の取付金具とからなり、
前記標準サッシ枠は、上、下枠及び左右の縦枠に木造建築物に取り付けるための取付縁と、上、下枠及び左右の縦枠の外周面側に屋内方向に対向して突出し、湿式工法に用いるアンカーを係止するための係止縁とを有するものであり、
前記アタッチメント枠は、前記標準サッシ枠の外周側において、前記上、下枠のそれぞれの屋外側端部と屋内側端部に固着される横アタッチメント材と、前記左右の縦枠のそれぞれの屋外側端部と屋内側端部に固着される縦アタッチメント材とを矩形に連続されてなるものであり、
前記取付金具は、横断面Ｌ字形に形成され、水平部においてプレキャストコンクリート壁の開口部内周面に固定され、垂直部において前記アタッチメント枠の横アタッチメント材の屋内側端部に連結されるものである、
ことを特徴とするサッシ枠。
【請求項２】
請求項１に記載のサッシ枠において、アタッチメント枠の横アタッチメント材及び縦アタッチメント材は、それぞれ標準サッシ枠の上、下枠及び左右の縦枠に接続された状態で、その上、下枠及び左右の縦枠を中空筒状に形成することを特徴とするサッシ枠。
【請求項３】
請求項１又は２に記載のサッシ枠において、アタッチメント枠の縦アタッチメント材は、サッシ枠の縦枠と開口部を形成している壁との間の空隙に充填される弾性目地材を受け止める部材を兼ねていることを特徴とするサッシ枠。
【請求項４】
標準サッシ枠の上、下枠のそれぞれの屋外側端部と屋内側端部に固着される横アタッチメント材と、前記標準サッシ枠の左右の縦枠のそれぞれの屋外側端部と屋内側端部に固着される縦アタッチメント材とからなり、プレキャストコンクリート壁に設けられた開口の内周面に固着されたボルトに取付金具を介して固定されるサッシ枠用アタッチメント枠。
【発明の詳細な説明】
【技術分野】
【０００１】
本発明は、サッシ枠及びサッシ枠用アタッチメント枠、とくにプレキャストコンクリート造建築物(以下、ＰＣ建築物という。)に取り付けるのに好適なものに関する。
【背景技術】
【０００２】
サッシは、住宅用木造家屋ばかりでなく、鉄筋コンクリート造建築物(以下、ＲＣ建築 物という。)にも取り付けられている。
【０００３】
従来のサッシ枠の建築物の開口部に対する取付構造は、建築物が木造建築物かＲＣ建築物かにより異なる。すなわち、木造建築物の場合は、左右の柱の上部間と下部間とにまぐさと窓台を取り付けることにより、矩形に連続する開口枠を形成し、サッシ枠には、その上、下枠と左右縦枠に上記まぐさ、窓台及び柱に当接して木ねじにより固定するための取付縁が形成されている標準サッシ枠を用いて、そのサッシ枠を開口枠の中に嵌合し、上、下枠と左右縦枠の取付縁から木ねじをまぐさ、窓台及び柱にねじ込んで取り付けていた。
【０００４】
そして、ＲＣ建築物の場合は、窓開口部を形成する鉄筋コンクリート壁（以下、ＲＣ壁という。）の内周に差筋を突設し、標準サッシ枠の上、下枠及び左右の縦枠の外周面側に屋内外方向に対向して突出する係止縁を設け、その対向する係止縁にアンカーを嵌着し、そのアンカーを差筋に溶接してサッシ枠を固定し、ＲＣ壁の開口部内周面とサッシ枠の各枠との間の空隙にモルタルを充填してサッシ枠を取付ける湿式工法が採られている。
【０００５】
近年、サッシは、ＰＣ建築物にも取り付けられるようになった。ＰＣ建築物にサッシ枠を取り付けるには、差筋設置やモルタル充填を行う湿式工法を採用することができず、プレキャストコンクリート壁（以下、ＰＣ壁という。）中の鉄筋に開口部に突出するように固定したボルトとナットによりサッシ枠を締着して、開口部に納める乾式工法しか採用できないが、従来の標準サッシ枠は、その形状及び構造上、乾式納まり(モルタルレス)をすることができないという問題があった。
【０００６】
標準サッシ枠以外のサッシ枠を乾式工法により取り付ける方法として、次の２つの方法が行われている。その１つは、乾式工法専用の枠を作り、その専用の枠を乾式納まりする方法である。もう１つは、スチールやアルミニウム製の板材の曲げ加工品をサッシ枠に付加して、納める方法である。
【特許文献１】特になし
【発明の開示】
【発明が解決しようとする課題】
【０００７】
しかしながら、上記乾式工法専用の枠を用いる方法は、新規生産設備を必要とするので、小ロット対応ができない。また、上記曲げ加工品を付加する方法は、部材、部品の製造及び加工が増えるため、コストアップになり、製作時に高い精度が要求されるという問題がある。
【０００８】
そこで、本発明の主たる目的は、標準サッシ枠をそのまま用いて、コストアップを招くことなく、ＰＣ建築物に乾式工法により取り付けることができるサッシ枠を提供することにある。本発明の付随的目的は、ＰＣ建築物用サッシ枠を構成するのに適するアタッチメント枠を提供することにある。
【課題を解決するための手段】
【０００９】
上記主たる目的を達成するため、本発明のサッシ枠は、（ａ）標準サッシ枠と、アタッチメント枠と、取付金具とからなり、（ｂ）前記標準サッシ枠は、上、下枠及び左右の縦枠に木造建築物に取り付けるための取付縁と、上、下枠及び左右の縦枠の外周面側に屋内方向に対向して突出し、湿式工法に用いるアンカーを係止するための係止縁とを有するサッシ枠であり、（ｃ）前記アタッチメント枠は、前記標準サッシ枠の外周側において、上、下枠のそれぞれの屋外側端部と屋内側端部に固着される横アタッチメント材と、左右の縦枠のそれぞれの屋外側端部と屋内側端部に固着される縦アタッチメント材とを矩形に連続されてなるものであり、（ｄ）前記取付金具は、横断面Ｌ字形に形成され、水平部においてＰＣ壁の開口部内周面に固定され、垂直部において前記アタッチメント枠の横アタッチメント材の屋内側端部に連結されるものであることを特徴としている（請求項１）。
【００１０】
アタッチメント枠の横アタッチメント材及び縦アタッチメント材は、それぞれ標準サッシ枠の上、下枠及び左右の縦枠に接続された状態で、その上、下枠及び左右の縦枠を中空筒状に形成することを特徴としている（請求項２）。
【００１１】
アタッチメント枠の縦アタッチメント材は、サッシ枠の縦枠と開口部を形成している壁との間の空隙に充填される弾性目地材を受け止める部材を兼ねていることを特徴としている（請求項３）。
【００１２】
上記付随的目的を達成するため、本発明は、サッシ枠用アタッチメント枠を、標準サッシ枠の上、下枠のそれぞれの屋外側端部と屋内側端部に固着される横アタッチメント材と、前記標準サッシ枠の左右の縦枠のそれぞれの屋外側端部と屋内側端部に固着される縦アタッチメント材とで構成し、ＰＣ壁に設けられた開口の内周面に固着されたボルトに取付金具を介して固定されるようにしたことを特徴としている（請求項４）。
【発明の効果】
【００１３】
請求項１の発明によれば、標準サッシ枠を木造建築物にそのまま取り付けることができるほか、アンカーを用いてＲＣ建築物に湿式工法により取り付けることも、アタッチメント枠及び取付金具を用いてＰＣ建築物に取り付けることもできる。
すなわち、標準サッシ枠は、上、下枠及び左右の縦枠に木造建築物に取り付けるための取付縁と、上、下枠及び左右の縦枠の外周面側に屋内外方向に対向して突出し、湿式工法に用いるアンカーを係止するための係止縁とを有するものであるから、従来と同様に、アンカーを係止することなく、そのまま木造建築物に取り付けることができ、アンカーを係止すれば、ＲＣ建築物に取り付けることができる。
【００１４】
そして、アタッチメント枠は、標準サッシ枠の外周側において、上、下枠のそれぞれの屋外側端部と屋内側端部に固着される横アタッチメント材と、左右の縦枠のそれぞれの屋外側端部と屋内側端部に固着される縦アタッチメント材とを矩形に連続されてなるものであり、取付金具は、横断面Ｌ字形に形成され、水平部においてＰＣ壁の開口部内周面に固定され、垂直部において前記アタッチメント枠の横アタッチメント材の屋内側端部に連結されるものであるから、標準サッシ枠にアタッチメント枠を取り付け、ＰＣ製建築物の開口部に嵌合して、取付金具によりサッシ枠を固定することができる。
【００１５】
請求項２の発明によれば、アタッチメント枠の横アタッチメント材及び縦アタッチメント材は、それぞれ標準サッシ枠の上、下枠及び左右の縦枠に接続された状態で、その上、下枠及び左右の縦枠を中空筒状に形成するので、上、下枠及び左右の縦枠の強度が大きくなり、とくにＲＣ建築物又はＰＣ建築物に堅牢に取り付けることができる。
【００１６】
請求項３の発明によれば、アタッチメント枠の縦アタッチメント材は、サッシ枠の縦枠と壁との間に充填される弾性目地材を受け止める部材を兼ねるので、目地材の充填を容易に行うことができるとともに、建築物の地震発生時などの層間変位を弾性目地材が吸収するので、ガラス障子を含めてサッシ枠全体が保護される。
【００１７】
請求項４の発明によれば、既存の標準サッシ枠の外周に接続するだけで、容易にＰＣ建築物に乾式工法により取り付けることができるサッシ枠を構成することができる。
【発明を実施するための最良の形態】
【００１８】
次に、本発明の実施の形態について、図面に基づいて説明する。
図１は、標準サッシ枠ＳＦをＰＣ製建築物に取り付けるために、本発明に基づき、標準サッシ枠ＳＦに新規なアタッチメント枠ＡＦを結合した状態を示す縦断面図であり、図２は同状態の一方の縦枠のみの横断面図である。標準サッシ枠ＳＦの断面は、塗りつぶしてある。図３は図１の標準サッシ枠ＳＦの上、下枠１１，１２のみを抽出した縦断面図、図４は同じく図２の標準サッシ枠ＳＦの縦枠１３のみを抽出した横断面図である。図５は図１のアタッチメント枠ＡＦの中の上下の横アタッチメント材（以下、上枠又は下枠という。）２１．２２のみを抽出した端面図、図６は同じく図２のアタッチメント枠ＡＦの中の縦アタッチメント材（以下、縦枠という。）２３のみの端面図、図７は取付金具３０の断面図である。
図８は標準サッシ枠をＲＣ造建築物に取り付けた例の縦断面図、図９は同じく一方側の縦枠の横断面図である。
図１０は、標準サッシ枠を、アタッチメント枠と取付金具を用いてＰＣ製建築物に取り付けた状態の縦断面図、図１１は同じく一方側の縦枠の横断面図である。図１２は、標準サッシ枠に上、下枠と縦枠を取り付けたことにより生じるコーナーの隙間を遮蔽する小口塞ぎの取付例を示す概念図である。
【００１９】
標準サッシ枠ＳＦは、既知のものであり、その中に設けられる障子の形態、すなわち、引違い障子、片引戸、ガラス嵌め殺しのいずれであるかにより、その形状及び構造が異なるが、一例を説明すると、上枠１１は、図３に示すように、屋外壁１１１と、屋内壁１１２と、これらの屋外壁１１１と屋内壁１１２とを接続する基本壁１１３とを有するとともに、屋外壁１１１の上端部に、木造建築物のまぐさ(図示省略)の屋外面に当接して木ねじで固定するための取付縁１１１ａを有し、屋内壁１１２の下端部に、上部額縁(図示省略)に当接して木ねじで固定するための取付縁１１２ａを有する。また、屋外壁１１１の高さ方向中間位置の基本壁１１３よりも上側において屋内方向に突出する係止縁１１１ｂを有し、屋内壁１１２の上端部に、基本壁１１３よりも上側において屋外方向に突出する係止縁１１２ｂを有する。
【００２０】
屋内側の係止縁１１２ｂは、標準サッシ枠ＳＦを木造建築物に取付ける場合は、まぐさの下面と係止縁１１２ｂの間に押入されるサッシ取付位置調整材又はまぐさの下面に当接される。また、係止縁１１１ｂと係止縁１１２ｂは、互いに対向する方向に突出していて、標準サッシ枠ＳＦをＲＣ建築物Ｈ１に取付ける場合は、図８に示すように、標準サッシ枠ＳＦをＲＣ建築物Ｈ１に固定するアンカー４１を係止するために用いられる。
【００２１】
基本壁１１３の下面には、このサッシ枠の中に保持される障子の形態に応じて、所要の断面形状を構成する複数のレール１１４や防水壁１１５が形成されている。
【００２２】
標準サッシ枠ＳＦの下枠１２は、図３に示すように、屋外側底壁１２１と、屋内壁１２２と、これらの屋外側底壁１２１と屋内壁１２２とを接続する基本壁１２３とを有し、屋外側底壁１２１の屋内側端部に窓台(図示省略)の屋外面に当接して木ねじで固定するための取付縁１２１ａを有し、屋内壁１２２の上端部に屋内方向に延出し、膳板(図示省略)の上面に当接して木ねじで固定するための取付縁１２２ａを有する。また、屋内壁１２２の下端部と基本壁１２３の屋外側部分の下面に、互いに対向する方向に突出する係止縁１２２ｂ，１２３ｂを有する。係止縁１２２ｂと係止縁１２３ｂは、互いに対向する方向に突出して、図８に示すように、標準サッシ枠ＳＦをＲＣ建築物Ｈ１に取付けるためのアンカー４２を係止するために用いられる。
【００２３】
基本壁１２３の上面には、このサッシ枠の中に保持される障子の形態に応じて、所要の断面形状を構成する複数のレール１２４や防水壁１２５が形成されている。
【００２４】
標準サッシ枠ＳＦの縦枠１３は、図４に示すように、屋外壁１３１と、屋内壁１３２と、これらの屋外壁１３１と屋内壁１３２とを接続する基本壁１３３とを有し、屋外壁１３１の窓開口と反対側の端部にＬ字形に屈曲して形成されて、柱(図示省略)の屋外面に当接して木ねじで固定される取付縁１３１ａを有し、屋内壁１３２の上端部に屋内方向に突出して形成され、額縁(図示省略)に当接して木ねじで固定される取付縁１３２ａを有する。また、屋外壁１３１の基本壁１３３よりも窓開口と反対側の中間位置と屋内壁１３２の基本壁１３３よりも窓開口と反対側の端部とに、互いに対向して突出する係止縁１３１ｂ，１３２ｂを有する。係止縁１３１ｂと係止縁１３２ｂは、互いに対向する方向に突出して、図９に示すように、標準サッシ枠ＳＦをＲＣ建築物Ｈ１に取付けるためのアンカー４３を係止するために用いられる。
【００２５】
基本壁１３３の開口部側の面には、このサッシ枠の中に保持される障子の形態に応じて、所要の断面形状を構成する複数の防振壁１３４や防水壁１３５が形成されている。
【００２６】
上記構成の標準サッシ枠ＳＦは、アンカー４１〜４３やアタッチメント枠ＡＦを付加することなく、従来方法により、図示されていない木造建築物の左右の柱、まぐさ及び窓台により形成される開口部に嵌め込み、木ねじにより固定される。
【００２７】
次に、標準サッシ枠ＳＦをＲＣ建築物Ｈ１に取付ける場合は、上枠１１、下枠１２及び左右の縦枠１３のそれぞれ対向する一対の係止縁１１１ｂ，１１２ｂ，１２２ｂ，１２３ｂ，１３１ｂ，１３２ｂに、図８及び図９に示すように、幅方向両端部に係止溝を有するアンカー４１，４２，４３を、その両側の係止溝にそれぞれ一対の係止縁を嵌着して取付け、それぞれのアンカー４１，４２，４３をＲＣ建築物Ｈ１の壁Ｗに設けた差筋４４に溶接して、標準サッシ枠ＳＦを固定し、上、下枠１１．１２と壁Ｗ１の開口部内周面との間にモルタルＭを打ち込み、養生させることにより、標準サッシ枠ＳＦをＲＣ壁Ｗに固定することができる。
図８，９において、屋内側取付縁１１２ａ，１２２ａ，１３２ａは、額縁５１又は膳板５２に当接して木ねじで固定される。
【００２８】
図１におけるアタッチメント枠ＡＦの上枠２１は、図５（ａ）にも示すように、屋外側端部に標準サッシ枠ＳＦの上枠１１の屋外側の取付縁１１１ａにビスｂ１により結合される第１結合部２１１と、同上枠１１の屋内壁１１２にビスｂ２により結合される第２結合部２１２と、その結合部２１２の上端部に形成され、後述される取付金具ＦＭを着脱自在に結合するための第３結合部２１３と、第１結合部２１１と第３結合部２１３とを接続して、その間を遮蔽する遮蔽板２１４とを一体に有している。第３結合部２１３は、これに取付金具ＦＭを着脱自在に結合することができれば、形状を問わないが、図示の例では、屋内方向に開口するあり溝状の溝２１３ａを有している。２１５，２１６は、アタッチメント枠ＡＦの上枠２１を標準サッシ枠ＳＦの上枠１１に結合するときの位置決め用突条である。
【００２９】
アタッチメント枠ＡＦの下枠２２は、図５（ｂ）に示すように、上枠２１とほぼ上下対称形に形成され、屋外側端部に標準サッシ枠ＳＦの下枠１２の屋外側の取付縁１２１ａにビスｂ３により結合される第１結合部２２１と、同下枠１１の屋内壁１２２にビスｂ４により結合される第２結合部２２２と、その結合部２２２の下端部に形成され、後述される取付金具ＦＭを着脱自在に結合するための第３結合部２２３と、第１結合部２２１と第３結合部２２３とを接続して、その間を遮蔽する遮蔽板２２４とを一体に有している。第３結合部２２３は、これに取付金具ＦＭを着脱自在に結合することができれば、形状を問わないが、図示の例では、屋内方向に開口するあり溝状の溝２２３ａを有している。２２５，２２６は、アタッチメント枠ＡＦの下枠２２を標準サッシ枠ＳＦの下枠１２に結合するときの位置決め用突条である。
【００３０】
また、図２におけるアタッチメント枠ＡＦの縦枠２３は、図６にも示すように、屋外側端部に標準サッシ枠ＳＦの縦枠１３の屋外側取付縁１３１ａに結合される第１結合部２３１と、縦枠１３の屋内壁１３２にビスｂ２により結合される第２結合部２３２と、第１結合部２３１と第３結合部２３２とを接続して、その間を遮蔽する遮蔽板２３３とを一体に有している。２３４，３２５は、アタッチメント枠ＡＦの縦枠２３を標準サッシ枠ＳＦの縦枠１３に結合するときの位置決め用突条である。
【００３１】
上記構成により、アタッチメント枠ＡＦの上、下枠２１，２２及び左右の縦枠２３をそれぞれ、矩形に枠組みされている標準サッシ枠ＳＦの上、下枠１１，１２及び左右の縦枠１３に、屋内側から接近させ、屋外側の第１結合部２１１，２２１を標準サッシ枠ＳＦの上、下枠１１，１２及び左右の縦枠１３の屋外側取付縁１１１ａ，１２１ａ，１３１ａの屋内面に当接するとともに、第２結合部２１２，２２２，２３２を標準サッシ枠ＳＦの上、下枠１１，１２及び左右の縦枠１３の屋内側取付縁１１２ａ，１２２ａ，１３２ａの屋内面に当接して、屋外側からと屋内側からビスｂ１，ｂ２をねじ込むことにより、図１及び図２に示すように、アタッチメント枠ＡＦを標準サッシ枠ＳＦの外周側に一体的に結合することができる。
【００３２】
アタッチメント枠ＡＦを標準サッシ枠ＳＦの外周側に結合した状態で、図１及び図２に示すように、四周に強度の大きい中空部を備えた新たなＰＣ用サッシ枠ＮＦが構成される。
【００３３】
上記ＰＣ用サッシ枠ＮＦをＰＣ建築物に取り付けるために、図７に例示するような取付金具ＦＭが用いられる。取付金具ＦＭは、標準サッシ枠ＳＦ及びアタッチメント枠ＡＦと同様のアルミニウム製又はスチール製であり、横断面形状を可及的に単純にするため、垂直部３１と水平部３２とを有するＬ字形に形成され、垂直部３１と水平部３２のそれぞれにボルト貫通孔３１ａ，３２ａが形成されている。
【００３４】
取付金具ＦＭは、図１０に示すように、ＰＣ建築物Ｈ２の開口部の上壁Ｗ２ａを支持するスチール板６１ａに水平部３２を当接し、そのボルト貫通孔３２ａ（図７参照）に貫通したボルト７１ａをスチール板６１ａに貫通し、さらにそのスチール板に固着してあるナット７２ａにねじ込んで固定される。また、ＰＣ建築物Ｈ２の開口部の下壁Ｗ２ｂを支持するスチール板６２ｂにも上部取付金具ＦＭと同一形状のものを上下反転した状態で、水平部３２を当接し、そのボルト貫通孔３１ａ（図７参照）に貫通したボルト７１ｂをスチール板６１ｂに貫通し、さらにそのスチール板に固着してあるナット７２ｂにねじ込んで固定される。
【００３５】
そして、アタッチメント枠ＡＦの上下のあり溝２１３ａ，２２２３ａ（図５参照）にボルト７１ｃ，７１ｄの頭部を挿通し、軸部を屋内側に突出させた状態のＰＣ用サッシ枠ＮＦをＰＣ建築物Ｈ２の開口に屋外側から嵌め込み、ボルト７１ｃの軸部を上下の取付金具ＦＭの垂直部３１のボルト貫通孔３１ａ（図７参照）に挿入し、その垂直部の反対側に突出した軸部にナット７２ｄ，７２ｄを螺合して、ＰＣ用サッシ枠ＮＦがＰＣ建築物Ｈ２に取り付けられる。図示の例では、第３結合部２１３、２２３のあり溝２１３ａ，２２３ａにボルト７ｃ，７１ｄの頭を挿通し、そのあり溝から突出された軸にナット７２ａ，７２ｄを螺合しているから、十分な結合強度を得ている。
【００３６】
図１０において、８１ａ，８１ｂは、サッシ枠ＮＦの取付後に、上下の取付金具ＦＭの垂直壁からＰＣ上壁Ｗ２ａの屋内面及び下壁Ｗ２ｂの屋内面に掛けてそれぞれ施されたシール材であり、そのシール後に、額縁５１及び膳板５２が取り付けられ、内装材５３が施工される。
【００３７】
上下の取付金具ＦＭによりＰＣ壁に固定されたサッシ枠ＮＦの縦枠１３とＰＣ側壁Ｗ２ｃの開口内面との間には、地震発生時の層間変位量よりも僅かに大きな間隔を有する空隙Ｓが形成され、その空隙に耐火目地材その他の弾性塞ぎ材８２が充填され、その後に、ＰＣ側壁Ｗ２ｃの開口内面から屋内面に掛けてシール材８１ｃが施され、その後に、額縁５１が取り付けられ、内装材５３が施工される。
図１０，１１において、８３はサッシ枠ＮＦとＰＣ壁の開口内面との間に施されたコーキング材である。
【００３８】
なお、標準サッシ枠ＳＦの外周にアタッチメント枠ＡＦを取付けただけのＰＣ用サッシ枠ＮＦのコーナー部の外側部分には、図１２に示すように、Ｌ字形の空隙が生じるので、この空隙が屋内外側に露見しないように、小口塞ぎ９１ａ、９２を取り付けることが望ましい。
【００３９】
以上のように、本発明の実施の形態においては、既存の標準サッシ枠ＳＦを、そのまま木造建築物に取り付けることができるとともに、アンカー４１〜４３を付加することによりＲＣ建築物に湿式工法で取り付けることができ、さらに、標準サッシ枠ＳＦの外周にアタッチメント枠ＡＦを付加し、ＰＣ壁に取付金具ＦＭを予め付加することにより、ＰＣ建築物にも乾式工法により取り付けることができる。
しかも、標準サッシ枠ＳＦの外周にアタッチメント枠ＡＦを付加して、上、下枠及び縦枠の全てを中空枠にするので、大きな強度を有して、耐震性能に優れたＰＣ用サッシの提供が可能である。
【図面の簡単な説明】
【００４０】
【図１】標準サッシ枠をＰＣ製建築物に取り付けるために、標準サッシ枠に新規なアタッチメント枠ＡＦを結合した状態を示す縦断面図。
【図２】同状態の一方の縦枠のみの横断面図。
【図３】図１の標準サッシ枠ＳＦの上、下枠のみを抽出した縦断面図。
【図４】同じく図２の標準サッシ枠ＳＦの縦枠１３のみを抽出した横断面図。
【図５】図１のアタッチメント枠の中の上下の横アタッチメント材のみを抽出した端面図、
【図６】同じく図２のアタッチメント枠の中の縦アタッチメント材のみの端面図。
【図７】取付金具の断面図。
【図８】標準サッシ枠をＲＣ建築物に取り付けた例の縦断面図。
【図９】同じく一方側の縦枠の横断面図。
【図１０】標準サッシ枠を、アタッチメント枠と取付金具を用いてＰＣ製建築物に取り付けた状態の縦断面図。
【図１１】同じく一方側の縦枠の横断面図。
【図１２】標準サッシ枠に横アタッチメント材と縦アタッチメント材を取り付けたことにより生じるコーナーの隙間を遮蔽する小口塞ぎの取付例を示す概念図。
【符号の説明】
【００４１】
ＳＦ      標準サッシ枠
１１      上枠
１１１ａ，１１２ａ    取付縁
１１１ｂ，１１２ｂ    係止縁
１２      下枠
１２１ａ，１２２ａ    取付縁
１２１ｂ，１２２ｂ    係止縁
１３      縦枠
１３１ａ，１３２ａ    取付縁
１３１ｂ，１３２ｂ    係止縁
ＡＦ      アタッチメント枠
２１      上枠
２１１    第１結合部
２１２    第２結合部
２１３    第３結合部
２１４    遮蔽部
２２      下枠
２２１    第１結合部
２２２    第２結合部
２２３    第３結合部
２２４    遮蔽部
２３      縦枠
２３１    第１結合部
２３２    第２結合部
２３３    遮蔽部
Ｈ１      ＲＣ（鉄筋コンクリート）建築物
Ｗ１      ＲＣ壁
Ｈ２      ＰＣ（プレキャストコンクリート）建築物
Ｗ２      ＰＣ壁
ＮＦ      ＰＣ用サッシ枠
【図１】
2010144405.tif 000003
【図２】
2010144405.tif 000004
【図３】
2010144405.tif 000005
【図４】
2010144405.tif 000006
【図５】
2010144405.tif 000007
【図６】
2010144405.tif 000008
【図７】
2010144405.tif 000009
【図８】
2010144405.tif 000010
【図９】
2010144405.tif 000011
【図１０】
2010144405.tif 000012
【図１１】
2010144405.tif 000013
【図１２】
2010144405.tif 000014